(57)【特許請求の範囲】
【請求項１】
各種情報を記憶する記憶部と、
前記記憶部に記憶されている情報を外部記憶装置に記憶させるバックアップ制御と、前記バックアップ制御の実行に伴い、稼働状態から所定の待機状態に移行させる制御とを実行する制御部と、
を備え、
前記待機状態は、前記稼動状態から、前記バックアップ制御の実行に伴って移行されるバックアップ時待機状態と、ジョブの実行終了後において、前記バックアップ制御の実行に伴わずに前記稼動状態から移行される非バックアップ時待機状態とを含み、
前記制御部は、前記バックアップ時待機状態において、用紙に画像を形成する画像形成部の機能を停止させるとともに、ユーザによって操作が可能な操作部の操作を受け付け、該受け付けた操作に応じた制御を行い、所定の待機状態移行条件が成立したときに、前記操作部の機能を停止させる制御を行うことを特徴とする画像形成装置。
【請求項２】
前記制御部は、前記バックアップ制御の実行中において、前記非バックアップ時待機状態への移行を制限することを特徴とする請求項１に記載の画像形成装置。
【請求項３】
各種情報を記憶する記憶部と、
前記記憶部に記憶されている情報を外部記憶装置に記憶させるバックアップ制御と、前記バックアップ制御の実行に伴い、稼働状態から所定の待機状態に移行させる制御とを実行する制御部と、
を備え、
前記待機状態は、前記稼動状態から、前記バックアップ制御の実行に伴って移行されるバックアップ時待機状態と、ジョブの実行終了後において、前記バックアップ制御の実行に伴わずに前記稼動状態から移行される非バックアップ時待機状態とを含み、
前記制御部は、前記バックアップ時待機状態において、前記記憶部を機能させる一方、用紙に画像を形成する画像形成部の機能及びユーザによって操作が可能な操作部の機能を停止させることを特徴とする画像形成装置。
【請求項４】
前記制御部は、前記操作部の機能が停止しているときに、前記操作部による所定の復帰操作を検出すると、前記操作部の操作に応じた制御を可能にすることを特徴とする請求項３に記載の画像形成装置。
【請求項５】
各種情報を記憶する記憶部と、
前記記憶部に記憶されている情報を外部記憶装置に記憶させるバックアップ制御と、前記バックアップ制御の実行に伴い、稼働状態から所定の待機状態に移行させる制御とを実行する制御部と、
を備え、
前記制御部は、前記待機状態において複数の装置について機能を停止させ、前記待機状態において、所定の復帰条件が成立したときに、前記バックアップ制御の実行中であるか否かを判定し、機能の停止した複数の装置のうち、バックアップ制御の実行中であると判定された場合にはユーザによって操作が可能な操作部の機能の復帰を行い、バックアップ制御の実行中でないと判定された場合には用紙に画像を形成する画像形成部及び前記操作部の機能の復帰を行うことを特徴とする画像形成装置。
【請求項６】
各種情報を記憶する記憶部と、
前記記憶部に記憶されている情報を外部記憶装置に記憶させるバックアップ制御と、稼働状態から、複数の装置について機能を停止させる所定の待機状態に移行させる制御とを実行する制御部と、
を備え、
前記制御部は、前記待機状態において、所定の復帰条件が成立したときに、前記バックアップ制御の実行中であるか否かを判定し、機能の停止した複数の装置のうち、バックアップ制御の実行中であると判定された場合にはユーザによって操作が可能な操作部の機能の復帰を行い、バックアップ制御の実行中でないと判定された場合には用紙に画像を形成する画像形成部及び前記操作部の機能の復帰を行うことを特徴とする画像形成装置。
【発明の詳細な説明】
【技術分野】
【０００１】
本発明は、画像形成装置に関する。
【背景技術】
【０００２】
従来の画像形成装置においては、画像形成装置を新規に設置する場合、あるいは、異常動作後に画像形成装置を復帰させる場合等に、画像形成装置を元の設定（例えば、レジスト値や印刷枚数のカウンタ値等）に復元するため、画像形成装置内の不揮発メモリに記憶されている記録情報を外部の記憶装置に転送してバックアップすることが行われている。
【０００３】
このバックアップが行われている間は、不揮発メモリからの読み出しに影響し、画像形成動作に支障することから、画像形成部による画像形成動作を制限する必要がある。ところが、従来の画像形成装置では、動作が制限されているにもかかわらず、装置に対する電源の供給について全く考慮がなされていなかったため、無駄な電力を消費していた。
【０００４】
このような問題に鑑み、従来の画像形成装置において、待機状態に移行するときにバックアップを行うようにしたものがある（特許文献１）。これによれば、電力消費が抑制される待機状態に移行されるときにバックアップが行われるので、消費電力の抑制が図れる。
【先行技術文献】
【特許文献】
【０００５】
【特許文献１】特開２００６−２６２０４８号公報
【発明の概要】
【発明が解決しようとする課題】
【０００６】
しかしながら、上記特許文献１に記載の技術では、バックアップを行うためには待機状態に移行されるのを待たなければならず、この間にも消費電力の無駄が生じている。
【０００７】
本発明の課題は、バックアップを行うにあたり、消費電力を削減することが可能な画像形成装置を提供することである。
【課題を解決するための手段】
【０００８】
以上の課題を解決するため、請求項１に記載の発明は、画像形成装置において、
各種情報を記憶する記憶部と、
前記記憶部に記憶されている情報を外部記憶装置に記憶させるバックアップ制御と、前記バックアップ制御の実行に伴い、稼働状態から所定の待機状態に移行させる制御とを実行する制御部と、
を備え、
前記待機状態は、前記稼動状態から、前記バックアップ制御の実行に伴って移行されるバックアップ時待機状態と、ジョブの実行終了後において、前記バックアップ制御の実行に伴わずに前記稼動状態から移行される非バックアップ時待機状態とを含み、
前記制御部は、前記バックアップ時待機状態において、用紙に画像を形成する画像形成部の機能を停止させるとともに、ユーザによって操作が可能な操作部の操作を受け付け、該受け付けた操作に応じた制御を行い、所定の待機状態移行条件が成立したときに、前記操作部の機能を停止させる制御を行うことを特徴とする。
【００１２】
請求項２に記載の発明は、請求項１に記載の画像形成装置において、
前記制御部は、前記バックアップ制御の実行中において、前記非バックアップ時待機状態への移行を制限することを特徴とする。
【００１３】
請求項３に記載の発明は、画像形成装置において、
各種情報を記憶する記憶部と、
前記記憶部に記憶されている情報を外部記憶装置に記憶させるバックアップ制御と、前記バックアップ制御の実行に伴い、稼働状態から所定の待機状態に移行させる制御とを実行する制御部と、
を備え、
前記待機状態は、前記稼動状態から、前記バックアップ制御の実行に伴って移行されるバックアップ時待機状態と、ジョブの実行終了後において、前記バックアップ制御の実行に伴わずに前記稼動状態から移行される非バックアップ時待機状態とを含み、
前記制御部は、前記バックアップ時待機状態において、前記記憶部を機能させる一方、用紙に画像を形成する画像形成部の機能及びユーザによって操作が可能な操作部の機能を停止させることを特徴とする。
【００１４】
請求項４に記載の発明は、請求項３に記載の画像形成装置において、
前記制御部は、前記操作部の機能が停止しているときに、前記操作部による所定の復帰操作を検出すると、前記操作部の操作に応じた制御を可能にすることを特徴とする。
【００１５】
請求項５に記載の発明は、画像形成装置において、
各種情報を記憶する記憶部と、
前記記憶部に記憶されている情報を外部記憶装置に記憶させるバックアップ制御と、前記バックアップ制御の実行に伴い、稼働状態から所定の待機状態に移行させる制御とを実行する制御部と、
を備え、
前記制御部は、前記待機状態において複数の装置について機能を停止させ、前記待機状態において、所定の復帰条件が成立したときに、前記バックアップ制御の実行中であるか否かを判定し、機能の停止した複数の装置のうち、バックアップ制御の実行中であると判定された場合にはユーザによって操作が可能な操作部の機能の復帰を行い、バックアップ制御の実行中でないと判定された場合には用紙に画像を形成する画像形成部及び前記操作部の機能の復帰を行うことを特徴とする。
【００１７】
請求項６に記載の発明は、画像形成装置において、
各種情報を記憶する記憶部と、
前記記憶部に記憶されている情報を外部記憶装置に記憶させるバックアップ制御と、稼働状態から、複数の装置について機能を停止させる所定の待機状態に移行させる制御とを実行する制御部と、
を備え、
前記制御部は、前記待機状態において、所定の復帰条件が成立したときに、前記バックアップ制御の実行中であるか否かを判定し、機能の停止した複数の装置のうち、バックアップ制御の実行中であると判定された場合にはユーザによって操作が可能な操作部の機能の復帰を行い、バックアップ制御の実行中でないと判定された場合には用紙に画像を形成する画像形成部及び前記操作部の機能の復帰を行うことを特徴とする。
【発明の効果】
【００２３】
本発明によれば、バックアップを行うにあたり、消費電力を削減することが可能となる。
【図面の簡単な説明】
【００２４】
【図１】本実施の形態におけるメンテナンスシステムのシステム構成を示す図である。
【図２】画像形成装置の内部構成を示す図である。
【図３】画像形成装置の状態を示すモードと各装置の稼働状態との関係を説明する図である。
【図４】画像処理装置において実行されるメイン処理について説明するフローチャートである。
【図５】画像処理装置において実行されるメイン処理について説明するフローチャートである。
【図６】画像処理装置において実行されるメニュー画面表示・操作受付処理について説明するフローチャートである。
【図７】画像処理装置において実行される省電力モード移行制御処理について説明するフローチャートである。
【図８】画像処理装置において実行される省電力モード復帰制御処理について説明するフローチャートである。
【図９】画像処理装置において実行されるＨＤＤ管理モード処理について説明するフローチャートである。
【図１０】画像処理装置において実行されるバックアップ／リストア終了時処理について説明するフローチャートである。
【図１１】画像処理装置において実行されるプリントジョブ受信時処理について説明するフローチャートである。
【図１２】画像処理装置において実行されるジョブ実行処理について説明するフローチャートである。
【図１３】メニュー画面表示・操作受付処理の実行に際して表示される操作画面例を示す図である。
【図１４】メニュー画面表示・操作受付処理の実行に際して表示される操作画面例を示す図である。
【図１５】省電力モード移行制御処理の実行に際して表示される操作画面例を示す図である。
【図１６】省電力モード移行制御処理の実行に際して表示される操作画面例を示す図である。
【図１７】メイン処理の実行に際して表示される操作画面例を示す図である。
【図１８】メイン処理の実行に際して表示される操作画面例を示す図である。
【図１９】ＨＤＤ管理モード処理の実行に際して表示される操作画面例を示す図である。
【図２０】ＨＤＤ管理モード処理の実行に際して表示される操作画面例を示す図である。
【図２１】ＨＤＤ管理モード処理の実行に際して表示される操作画面例を示す図である。
【発明を実施するための形態】
【００２５】
以下、本発明の実施の形態について図面を参照しながら説明する。なお、発明の範囲は図示例に限定されない。
【００２６】
本実施の形態におけるメンテナンスシステム１００は、図１に示すように、例えば、画像形成装置１０、ＰＣ（Personal Computer）３０、外部記憶装置４０等から構成されている。メンテナンスシステム１００は、ＰＣ３０又は外部記憶装置４０を用いて画像形成装置１０のメンテナンスを行うシステムである。ＰＣ３０は、ネットワークを介して画像形成装置１０に接続可能であり、外部記憶装置４０は、ＵＳＢ（Universal Serial Bus）等により画像形成装置１０に接続可能である。
【００２７】
画像形成装置１０は、入力画像に画像処理を施して出力画像を生成し、当該出力画像の印刷出力を行うものである。画像形成装置１０は、ＡＤＦ（Auto Document Feeder）２０ａ、フィニッシャ２０ｂ、給紙ユニット２０ｃの各種オプション機器（以下、オプション機器２０ａ〜２０ｃと総称する）が接続可能であり、用途に応じてこれらオプション機器２０ａ〜２０ｃの追加又は削除が可能である。
【００２８】
画像形成装置１０は、図２に示すように、本体部１１、画像読取部１２、操作表示部１３、画像形成部１６、通信部１７を備えて構成されている。
また、本体部１１は、制御部１１１、不揮発メモリ１１２、画像処理部１１３、ＤＲＡＭ（Dynamic Random Access Memory）制御部１１４、ＤＲＡＭ１１５、Ｉ／Ｆ（Interface）１１６，１１７、ＨＤＤ（Hard Disk Drive）を備えて構成されている。
【００２９】
制御部１１１は、ＣＰＵ（Central Processing Unit）、ＲＡＭ（Random Access Memory）等から構成されている。制御部１１１は、不揮発メモリ１１２に記憶されている制御プログラムを読み出してＲＡＭに展開し、当該制御プログラムとの協働により各部の動作を集中制御し、あるいは、各種演算を行う。
【００３０】
不揮発メモリ１１２は、制御プログラムやプログラムの実行に必要なパラメータ等を記憶する内部記憶手段であり、ＲＯＭ（Read Only Memory）等が適用可能である。また、不揮発メモリ１１２は、画像形成装置１０の各種設定に係る設定情報を記憶しており、例えば、本体固有情報、基本情報、調整情報、オプション構成情報等を記憶している。
【００３１】
画像処理部１１３は、画像読取部１２から入力される読取画像に対し、各種画像処理を施して出力用の出力画像を生成する。画像処理としては、色変換処理、平均化処理、γ補正処理、解像度変換処理、スクリーン処理等が含まれる。生成した出力画像はＤＲＡＭ制御部１１４に出力される。
【００３２】
ＤＲＡＭ制御部１１４は、ＤＲＡＭ１１５に記憶された出力画像の入出力を制御する。
ＤＲＡＭ１１５は、出力画像を記憶する画像メモリである。
【００３３】
Ｉ／Ｆ１１６は、オプション機器２０ａ〜２０ｃと制御部１１１間で制御情報等をやり取りするためのインターフェイスである。
【００３４】
Ｉ／Ｆ１１７は、外部記憶装置４０内に記憶されているデータのやり取り（読み出し又は書き込み）を行うインターフェイスである。
【００３５】
記憶部の一例としてのＨＤＤ１１８は、未だ実行されていない残ジョブのジョブデータを記憶する不揮発メモリである。このジョブデータには、画像読取部１２で読み取られた出力画像に基づいて画像形成を行うためのコピージョブ、画像読取部１２で読み取られた出力画像に基づき、ＰＤＦ（Portable Document Format）等の文書ファイルフォーマットに変換するスキャンジョブ、ＰＣ３０等のホスト装置から送信されるＰＤＬ（Page Description Language）等のページ記述言語に基づいて画像形成を行うためのプリントジョブ等が含まれる。また、ＨＤＤ１１８は、コピージョブやプリントジョブを実行するために生成された画像形成データの保存も行う。
なお、ＨＤＤ１１８に限定されず、不揮発メモリのように電源の供給が遮断されても記憶情報を保持可能な不揮発メモリ等の記憶媒体を適用してもよい。
【００３６】
画像読取部１２は、光源、ＣＣＤ（Charge Coupled Device）、Ａ／Ｄ変換器等を備え、光源から原稿へ照明走査した光の反射光を結像してＣＣＤにより光電変換することにより原稿画像を読み取り、読み取った画像信号にＡ／Ｄ変換器によりデジタル画像データに変換する。ここで、画像は図形や写真等のイメージに限らず、文字や記号等のキャラクタイメージ等も含む。なお、画像形成装置１０にＡＤＦ２０ａが接続されている場合、ＡＤＦ２０ａによって画像読取部１２に原稿が自動搬送されるので、画像読取部１２はこの搬送された原稿の読み取りを行う。
【００３７】
操作表示部１３は、操作部１３１、表示部１３２及びタッチパネル１３３を備えて構成されている。
【００３８】
操作部１３１は、プリント開始を指示するためのスタートキーや数字キー等の各種機能キーを備え、これら機能キーやタッチパネル１３３が操作されると、対応する操作信号を制御部１１１に出力する。
【００３９】
表示部１３２は、タッチパネル１３３と一体に設けられたＬＣＤ（Liquid Crystal Display）を備え、このＬＣＤの表示領域上にプリント操作や後述するバックアップ操作を行うための各種操作画面を表示させる。
【００４０】
画像形成部１６は、本体部１１の画像処理部１１３から入力される出力画像に基づいて電子写真方式により画像形成を行う。電子写真方式では、レーザ光源から感光体ドラム上にレーザ光を照射して露光を行い、静電潜像を形成する。これに現像部がトナーを吹き付けてできたトナー像を記録用紙に転写する。なお、画像形成装置１０に給紙ユニット２０ｃが接続されている場合には、当該給紙ユニット２０ｃから記録用紙の給紙を行う。トナー像が転写された記録用紙は定着処理が施された後、外部の排出トレイに出力される。このとき、画像形成装置１０にフィニッシャ２０ａが接続される場合には、トナー像が転写された記録用紙はフィニッシャ２０ａに出力される。
【００４１】
通信部１７は、ネットワークインターフェイスカード等の通信用のインターフェイスを備え、ＰＣ３０等の外部装置とネットワークを介して通信を行う。
【００４２】
ＰＣ３０は、例えば、ＨＤＤ等の記憶装置を備えており、画像形成装置１０のバックアップを行う際に、ＨＤＤ１１８に記憶されている情報を記憶する外部記憶装置として機能するものである。
【００４３】
外部記憶装置４０は、画像形成装置１０のバックアップを行う際に、ＨＤＤ１１８に記憶されている情報を記憶する外部記憶装置である。外部記憶装置４０としては、例えば、ＨＤＤ、ＣＤ−Ｒ（Compact Disk-Recordable）ドライブ、ＤＶＤ（Digital Versatile Disk）ドライブ、ＵＳＢメモリ等を用いることができる。
【００４４】
以上のように構成されたメンテナンスシステム１００の動作について説明する。
本実施の形態において、画像形成装置１０は、稼動状態である通常モードと、一部又は全部の装置の機能を停止させる省電力モードとの間で移行可能に構成されており、省電力モードはさらに複数のモードを含んでいる。そして、画像形成装置１０は、操作部１３１及びタッチパネル１３３の操作状態や、バックアップ又はリストア中であるか否かに応じて、通常モードと複数の省電力モードとの何れのモードに移行するかを決定するように制御を行っている。
【００４５】
稼動状態としての通常モードでは、図３に示すように、画像形成部１６、操作表示部１３、ＨＤＤ１１８及び制御部１１１のＣＰＵの何れの装置も、稼動状態であることを示す「ＯＮ」状態となる。通常モードは、後述するように、バックアップ中及びリストア中の何れの状態でもなく、ユーザにより操作部１３１あるいはタッチパネル１３３による所定の復帰操作が行われたときに移行するモードである。なお、本実施の形態における復帰操作は、操作部１３１及びタッチパネル１３３における何れかのキーが操作されることであるが、他の操作であってもよく、例えば、複数のキーの同時押しや、所定のキーの長押し、あるいは、パスワードの入力等によって実現してもよい。
【００４６】
非バックアップ時待機状態あるいは第２の待機状態としての通常省電力モード（以下、省電力モード１とも称す）では、画像形成部１６、操作表示部１３及びＨＤＤ１１８の何れの装置も、電源の供給が停止された待機状態であることを示す「ＯＦＦ」状態となる。また、制御部１１１のＣＰＵは、画像形成部１６、操作表示部１３及びＨＤＤ１１８等の周辺デバイスの電源の供給を停止した後、最後にシステムリセット状態となり、上述した復帰操作が行われたときに入力される信号によって稼動状態に移行できるよう待機される。通常省電力モードは、後述するように、バックアップ中及びリストア中の何れの状態でもなく、所定時間、ユーザによる操作部１３１あるいはタッチパネル１３３による入力がなかったときに移行するモードである。
【００４７】
バックアップ時待機状態あるいは第１の待機状態としてのバックアップ省電力モード（以下、省電力モード２とも称す）では、画像形成部１６及び操作表示部１３が「ＯＦＦ」状態となる一方、ＨＤＤ１１８及び制御部１１１のＣＰＵは「ＯＮ」状態となる。バックアップ省電力モードは、後述するように、バックアップ中又はリストア中であって、所定時間、ユーザによる操作部１３１あるいはタッチパネル１３３による入力がなかったときに移行するモードである。
【００４８】
バックアップ時待機状態としてのバックアップウェイクモード（以下、省電力モード３とも称す）では、画像形成部１６が「ＯＦＦ」状態となる一方、操作表示部１３、ＨＤＤ１１８及び制御部１１１のＣＰＵが「ＯＮ」状態となる。バックアップウェイクモードは、後述するように、バックアップ中又はリストア中であって、ユーザにより操作部１３１あるいはタッチパネル１３３による所定の復帰操作が行われたときに移行するモードである。
【００４９】
次に、画像形成装置１０において行われるメイン処理について図４及び図５を参照しながら説明する。
【００５０】
制御部１１１は、電源がＯＮされ、メイン処理が実行されると、メニュー画面表示・操作受付処理を実行し、所定のメニュー画面表示を行って、操作表示部１３におけるユーザによる操作を受け付ける処理を行う（ステップＳ１０１）。メニュー画面表示・操作受付処理の詳しい処理内容については後述する。
【００５１】
そして、制御部１１１は、ユーザによるメニューにおける選択操作が行われたか否かを判定する（ステップＳ１０２）。制御部１１１は、ユーザによる選択操作が行われたと判定しないときは（ステップＳ１０２：Ｎ）、待機状態に移行するための時間が経過（タイムアップ）したか否かを判定する（ステップＳ１０３）。すなわち、制御部１１１は、最後の操作が行われて監視タイマがリセットされてから、所定時間が経過するまでの間に、ユーザによる選択操作が行われたか否かを判定する。
【００５２】
制御部１１１は、タイムアップしたと判定しないときは（ステップＳ１０３：Ｎ）、ステップＳ１０１の処理に移行する。一方、制御部１１１は、タイムアップしたと判定したときは（ステップＳ１０３：Ｙ）、省電力モード移行制御処理を実行し、画像形成装置１０の状態に応じてモードを変更する処理を行う（ステップＳ１０４）。省電力モード移行制御処理の詳しい処理内容については後述する。
【００５３】
次に、制御部１１１は、ユーザにより操作部１３１あるいはタッチパネル１３３による所定の復帰操作が行われたか否かを判定する（ステップＳ１０５）。制御部は、復帰操作が行われたと判定したときは（ステップＳ１０５：Ｙ）、省電力モード復帰制御処理を実行し、画像形成装置１０の状態に応じてモードを変更する処理を行う（ステップＳ１０６）。省電力モード復帰制御処理の詳しい処理内容については後述する。
【００５４】
一方、制御部１１１は、ステップＳ１０５において、復帰操作が行われたと判定しないときは（ステップＳ１０５：Ｎ）、バックアップフラグが１から０に変更されたか否かを判定する（ステップＳ１０７）。ここで、バックアップフラグは、バックアップ中又はリストア中であることを示すフラグであって、後述するように、バックアップ又はリストアが実行されると「１」がセットされ、終了すると「０」がセットされる。制御部１１１は、バックアップフラグが１から０に変更されたと判定したときは（ステップＳ１０７：Ｙ）、画像形成装置１０の状態を省電力モード１に移行させた後（ステップＳ１０８）、ステップＳ１０５の処理に移行する。一方、制御部１１１は、バックアップフラグが１から０に変更されたと判定しないときは（ステップＳ１０７：Ｎ）、ステップＳ１０８の処理を実行することなく、ステップＳ１０５の処理に移行する。
【００５５】
制御部１１１は、ステップＳ１０２において、ユーザによる選択操作が行われたと判定したときは（ステップＳ１０２：Ｙ）、当該操作が「ＣＯＰＹ」及び「ＳＣＡＮ」の何れかの実行操作であるか否かを判定する（ステップＳ１０９）。「ＣＯＰＹ」及び「ＳＣＡＮ」は、図１３に示されるＬＣＤの表示領域Ｄ上に表示された「ＣＯＰＹ」ボタンｂ１及び「ＳＣＡＮ」ボタンｂ２にそれぞれ対応しており、何れかのボタンが表示された位置がユーザによって押圧操作された後に操作部１３１の「ＳＴＡＲＴ」ボタンｋ１が操作されたことにより、実行操作の判定が行われる。制御部１１１は、当該操作が「ＣＯＰＹ」及び「ＳＣＡＮ」の何れかの実行操作であると判定したときは（ステップＳ１０９：Ｙ）、実行したジョブの内容をジョブキューに登録し（ステップＳ１１０）、上述した待機状態に移行するための監視タイマをリセットした後（ステップＳ１１１）、ステップＳ１０１の処理に移行する。
【００５６】
一方、制御部１１１は、ステップＳ１０９において、当該操作が「ＣＯＰＹ」及び「ＳＣＡＮ」の何れかの実行操作であると判定しないとき、すなわち、「ＣＯＰＹ」及び「ＳＣＡＮ」の何れでもない場合は（ステップＳ１０９：Ｎ）、当該操作が「調整」ボタンであるか否かを判定する（ステップＳ１１２）。「調整」ボタンは、図１３に示されるＬＣＤの表示領域Ｄ上に表示された「調整」ボタンｂ４に対応しており、この「調整」ボタンｂ４が表示された位置がユーザによって押圧操作されたことにより操作の判定が行われる。
【００５７】
制御部１１１は、当該操作が「調整」ボタンであると判定したときは（ステップＳ１０９：Ｙ）、所定の調整画面を表示領域Ｄ上に表示し、γ調整や色合い調整等、出力される画像に関するパラメータの調整を設定可能にする画像調整処理を実行し（ステップＳ１１３）、ステップＳ１１１の処理に移行する。
【００５８】
一方、制御部１１１は、当該操作が「調整」ボタンであると判定しないときは（ステップＳ１１２：Ｎ）、当該操作は「設定」ボタンであると判定し、所定の設定メニューを表示するとともに、各種操作を受け付ける（ステップＳ１１４）。具体的には、制御部１１１は、図１７に示すような設定メニュー画面をＬＣＤの表示領域Ｄ上に表示する。この設定メニュー画面には、「ＨＤＤ管理モード」ボタンｂ６、「機能設定」ボタンｂ７、「ネットワークの設定」ボタンｂ８及び「メールアドレス登録」ボタンｂ９が表示されるとともに、画面右下部に「Ｃａｎｃｅｌ」ボタンｂ１０が表示される。これらのボタンｂ６〜ｂ１０は、ボタンが表示された位置をユーザが押圧操作することにより操作が受け付けられる。
なお、操作表示部１３の右側上端部には、画像形成部１０の状態を表示するためのステータスＬＥＤ（Light-Emitting Diode）Ｓが設けられており、例えば、通常モードにおいては、ステータスＬＥＤＳは点灯状態となり、バックアップ中及びリストア中においては、ステータスＬＥＤＳは所定の態様による点滅状態となり、通常省電力モードにおいては、ステータスＬＥＤＳは消灯状態となる。
また、本実施の形態では、コピージョブ、スキャンジョブ、プリントジョブ及びジョブ保存の実行中は、ＨＤＤ管理モードの選択を禁止するため、制御部１１１は、図１８に示すように、「ＨＤＤ管理モード」ボタンｂ６を網掛け表示し、操作を受け付けないように制御する。
【００５９】
そして、制御部１１１は、キャンセル操作が行われたか、また、設定メニューを表示してから所定の表示時間が経過したかを判定する（ステップＳ１１５）。具体的には、制御部１１１は、表示領域Ｄ上に表示された「Ｃａｎｃｅｌ」ボタンｂ１０が操作されたか、または、設定メニューを表示してから何れの操作も行われずに所定時間経過したか否かを判定する。
【００６０】
制御部１１１は、キャンセル操作が行われたか、また、設定メニューを表示してから所定の表示時間が経過したと判定しないときは（ステップＳ１１５：Ｎ）、設定メニュー画面に表示された各設定ボタンｂ６〜ｂ９の何れかが操作されたか否かを判定する（ステップＳ１１６）。一方、制御部１１１は、キャンセル操作が行われたか、また、設定メニューを表示してから所定の表示時間が経過したと判定したときは（ステップＳ１１５：Ｙ）、上述した待機状態に移行するための監視タイマをリセットした後（ステップＳ１１９）、ステップＳ１０１の処理に移行する。
【００６１】
制御部１１１は、ステップＳ１１６において、設定メニュー画面に表示された各設定ボタンｂ６〜ｂ９の何れかが操作されたと判定したときは（ステップＳ１１６：Ｙ）、操作された項目が「ＨＤＤ管理モード」であるか否かを判定する（ステップＳ１１７）。すなわち、制御部１１１は、「ＨＤＤ管理モード」ボタンｂ６の操作が行われたか否かを判定する。一方、制御部１１１は、ステップＳ１１６において、設定メニュー画面に表示された各設定ボタンｂ６〜ｂ９の何れかが操作されたと判定しないときは（ステップＳ１１６：Ｎ）は、ステップＳ１１５の処理に移行する。
【００６２】
制御部１１１は、ステップＳ１１７において、操作された項目が「ＨＤＤ管理モード」であると判定したときは（ステップＳ１１７：Ｙ）、バックアップ又はリストアを実行するためのＨＤＤ管理モードメニューを表示し、各種操作を受け付けるＨＤＤ管理モード処理を実行し（ステップＳ１１８）、ステップＳ１１９の処理に移行する。このＨＤＤ管理モード処理の詳しい処理内容については後述する。
【００６３】
一方、制御部１１１は、ステップＳ１１７において、操作された項目が「ＨＤＤ管理モード」であると判定しないときは（ステップＳ１１７：Ｎ）、選択された項目に応じた処理を実行し（ステップＳ１２０）、ステップＳ１１９の処理に移行する。
【００６４】
次に、ステップＳ１０１において実行されるメニュー画面表示・操作受付処理について、図６を参照しながら説明する。
【００６５】
先ず、制御部１１１は、バックアップフラグが１であるか否か、すなわち、バックアップフラグがセットされているか否かを判定する（ステップＳ２０１）。制御部１１１は、バックアップフラグがセットされていると判定しないときは（ステップＳ２０１：Ｎ）、図１３に示されるような通常メニュー画面をＬＣＤの表示領域Ｄ上に表示する（ステップＳ２０２）。具体的には、ステップＳ２０２が実行されると、通常メニュー画面として、「ＣＯＰＹ」ボタンｂ１が操作されたときのコピー設定画面がデフォルト画面として表示され、このコピー設定画面には、コピー設定を行うための項目ボタンｉ１〜ｉ３が表示される。なお、ステータスＬＥＤＳは、点灯状態となっている。
【００６６】
そして、制御部１１１は、メニュー画面において選択可能な全ての項目について制限を設けず、全操作の受付を許可する処理を行う（ステップＳ２０３）。これにより、ユーザは、通常メニューにおける全ての項目について選択操作を行うことが可能となる。そして、制御部は、ステップＳ２０３の処理を実行した後、この処理を終了する。
【００６７】
一方、制御部１１１は、バックアップフラグがセットされていると判定したときは（ステップＳ２０１：Ｙ）、図１４に示されるようなバックアップ／リストア用メニュー画面をＬＣＤの表示領域Ｄ上に表示する（ステップＳ２０４）。具体的には、ステップＳ２０４が実行されると、バックアップ／リストア用メニュー画面として、バックアップ中又はリストア中である旨、及び、その進行状況を示す画面が表示される。また、この画面では、「ＣＯＰＹ」ボタンｂ１及び「ＳＣＡＮ」ボタンｂ２について網掛け表示が行われ、操作が受け付けられないことを示している。なお、ステータスＬＥＤＳは、所定の態様で点滅されている。
【００６８】
そして、制御部１１１は、メニュー画面において選択可能な項目のうち、所定の項目について制限を設け、制限のかけられた項目については操作を受け付けないようにする処理を行う（ステップＳ２０５）。具体的には、制御部１１１は、バックアップ及びリストアが行われることにより、処理に影響を与える可能性のある、コピージョブ、スキャンジョブ及びジョブ保存の実行を制限するために、「ＣＯＰＹ」ボタンｂ１、「ＳＣＡＮ」ボタンｂ２及び「保存」ボタンｂ３の操作の受け付けを禁止する。そして、制御部１１１は、ステップＳ２０５の処理を実行した後、この処理を終了する。
【００６９】
次に、ステップＳ１０４において実行される省電力モード移行制御処理について、図７を参照しながら説明する。
【００７０】
先ず、制御部１１１は、バックアップフラグが１であるか否か、すなわち、バックアップフラグがセットされているか否かを判定する（ステップＳ３０１）。制御部１１１は、バックアップフラグがセットされていると判定したときは（ステップＳ３０１：Ｙ）、画像形成装置１０の制御状態を、上述した省電力モード２に移行する処理を行った後（ステップＳ３０２）、この処理を終了する。ここで、省電力モード２に移行する前の画像形成装置１０の制御状態は、後述するように、省電力モード３である。すなわち、制御部１１１は、操作が行われなくなってからセットされた監視タイマがタイムアップして所定の待機状態移行条件が成立すると、省電力モード３から省電力モード２に移行されることから、機能していた操作表示部１３の機能が停止されることとなる。その結果、図１５に示すように、ＬＣＤがＯＦＦにされ、表示領域Ｄ上には何も表示されなくなり、操作部１３２及びタッチパネル１３３も所定の待機状態となる。そして、ステータスＬＥＤＳは、バックアップ中又はリストア中であることを示す点滅状態となっている。
【００７１】
一方、制御部１１１は、バックアップフラグがセットされていると判定しないときは（ステップＳ３０１：Ｎ）、画像形成装置１０の制御状態を、上述した省電力モード１に移行する処理を行った後（ステップＳ３０３）、この処理を終了する。すなわち、制御部１１１は、後述するが、ジョブの実行が終了してから監視タイマがタイムアップしたときに、稼動状態としての通常モードから、非バックアップ時待機状態としての省電力モード１に移行する処理を行う。その結果、図１６に示すように、ＬＣＤがＯＦＦにされ、表示領域Ｄ上には何も表示されなくなり、操作部１３２及びタッチパネル１３３も所定の待機状態となり、操作表示部１３の左側下部に設けられたＳＬＥＥＰ−ＬＥＤＺが省電力モード１になったことを示すために所定の態様にて点滅する。そして、ステータスＬＥＤＳは、バックアップ中及びリストア中の何れでもないことを示す消灯となっている。
なお、本実施の形態では、バックアップフラグがセットされている限り、省電力モード１に移行されることがない。すなわち、バックアップ制御が実行されている間は、省電力モード１への移行が制限されるようになっている。
【００７２】
以上の処理が実行されることによれば、操作が行われなくなってからセットされた監視タイマがタイムアップして所定の状態移行条件が成立すると、バックアップ制御が実行されているか否かに応じて通常モードから省電力モード１に、あるいは、省電力モード３から省電力モード２に移行されることから、図３に示すように、モードの移行に伴い機能が停止される装置がそれぞれ異なることとなる。すなわち、機能している複数の装置のうち、バックアップフラグがセットされているか否かの判定結果に応じた装置の機能が停止されることとなる。
特に、ＨＤＤ１１８は、バックアップ制御が実行されている間は、機能が停止されることはない。
また、省電力モード２となることから、ＨＤＤ１１８は機能される一方、画像形成部１６及び操作表示部１３の機能は停止される。
【００７３】
次に、ステップＳ１０６において実行される省電力モード復帰制御処理について、図８を参照しながら説明する。
【００７４】
先ず、制御部１１１は、バックアップフラグが１であるか否か、すなわち、バックアップフラグがセットされているか否かを判定する（ステップＳ４０１）。制御部１１１は、バックアップフラグがセットされていると判定したときは（ステップＳ４０１：Ｙ）、画像形成装置１０の制御状態を、上述した省電力モード３に移行する処理を行った後（ステップＳ４０２）、この処理を終了する。ここで、省電力モード３に移行する前の画像形成装置１０の制御状態は、省電力モード２である。すなわち、制御部１１１は、操作表示部１３の機能が停止しているときに、所定の復帰操作を検出すると、省電力モード２から省電力モード３に移行されることから、機能の停止していた操作部１３２及びタッチパネル１３３の機能が復帰し、操作に応じた制御が可能となる。
【００７５】
一方、制御部１１１は、バックアップフラグがセットされていると判定しないときは（ステップＳ４０１：Ｎ）、画像形成装置１０の制御状態を上述した通常モードに移行する処理を行った後（ステップＳ４０３）、この処理を終了する。
【００７６】
以上の処理が実行されることによれば、所定の復帰操作が行われて所定の復帰条件が成立すると、バックアップ制御の実行中であるか否かが判定され、通常モード及び省電力モード３の何れかに移行されることから、移行するモードに応じた装置が復帰することとなる。
また、画像形成部１６は、バックアップ制御の実行中でないと判定されたとき、通常モードへの移行により機能が復帰することとなる。
【００７７】
次に、ステップＳ１１８において実行されるＨＤＤ管理モード処理について、図９を参照しながら説明する。
【００７８】
先ず、制御部１１１は、ＨＤＤ管理モードメニュー画面を表示する制御を行う（ステップＳ５０１）。具体的には、制御部１１１は、画像形成装置１０の制御状態が通常モードであるときには、図１９に示すようなＨＤＤ管理モードメニュー画面をＬＣＤの表示領域Ｄ上に表示する。このＨＤＤ管理モードメニュー画面には、「ＨＤＤバックアップ」ボタンｂ１１及び「リストア」ボタンｂ１２が表示されるとともに、画面右下部に「Ｃａｎｃｅｌ」ボタンｂ１０が表示される。なお、ステータスＬＥＤＳは、通常モードであることを示す点灯状態となっている。
また、本実施の形態では、バックアップ中及びリストア中は、ＨＤＤ管理に関する他の項目についての実行を制限するため、制御部１１１は、図２０に示すように、「リストア」ボタンｂ１２を網掛け表示し、操作を受け付けないように制御する。また、「ＨＤＤバックアップ」ボタンｂ１１については、実行中のバックアップ動作を中断するための「ＨＤＤバックアップ中断」ボタンに変更され、制御部１１１によりバックアップの中断を受け付けるように制御される。なお、制御部１１１は、「ＣＯＰＹ」ボタンｂ１及び「ＳＣＡＮ」ボタンｂ２についても網掛け表示を行い、操作を受け付けないように制御している。
【００７９】
次に、制御部１１１は、キャンセル操作が行われたか、また、ＨＤＤ管理モードメニューを表示してから所定の表示時間が経過したかを判定する（ステップＳ５０２）。具体的には、制御部１１１は、表示領域Ｄ上に表示された「Ｃａｎｃｅｌ」ボタンｂ１０が操作されたか、または、ＨＤＤ管理モードメニューを表示してから何れの操作も行われずに所定時間経過したか否かを判定する。
【００８０】
制御部１１１は、キャンセル操作が行われたか、また、ＨＤＤ管理モードメニューを表示してから所定の表示時間が経過したと判定しないときは（ステップＳ５０２：Ｎ）、ＨＤＤバックアップ又はリストアの実行操作が行われたか否かを判定する（ステップＳ５０３）。具体的には、制御部１１１は、ＨＤＤ管理モードメニュー画面に表示された各設定ボタンｂ１１，ｂ１２の何れかが操作されて、ＨＤＤバックアップ及びリストアの何れを実行するかについて選択された後、実行する旨の操作が行われたか否かを判定する。例えば、制御部１１１は、図１９に示されるＨＤＤ管理モードメニュー画面において、「ＨＤＤバックアップ」スイッチｂ１１の操作が検出されると、図２１に示すような、バックアップの実行を確認する画面をＬＣＤの表示領域Ｄ上に表示する。そして、制御部１１１は、バックアップ実行確認画面に表示された「ＳＴＡＲＴ」ボタンｂ１３の操作を検出することにより、バックアップの実行操作が行われたと判定する。
一方、制御部１１１は、キャンセル操作が行われたか、また、設定メニューを表示してから所定の表示時間が経過したと判定したときは（ステップＳ５０２：Ｙ）、この処理を終了する。
【００８１】
制御部１１１は、ステップＳ５０３において、ＨＤＤ管理モードメニュー画面に表示された各設定ボタンｂ１１，ｂ１２の何れかが操作されたと判定したときは（ステップＳ５０３：Ｙ）、バックアップフラグを１にして、バックアップフラグのセットを行う（ステップＳ５０４）。そして、制御部１１１は、画像形成装置１０の制御状態を、上述した省電力モード３に移行する処理を行う（ステップＳ５０５）。なお、省電力モード３に移行する以前の画像形成装置１０の制御状態は通常モードである。次に、制御部１１１は、バックアップ又はリストアを開始する（ステップＳ５０６）。具体的には、制御部１１１は、バックアップを開始すると、ＨＤＤ１１８に記憶されている各種情報の一部又は全部をＰＣ３０あるいは外部記憶装置４０にバックアップデータとして記憶する。また、制御部１１１は、リストアを開始すると、ＰＣ３０あるいは外部記憶装置４０に記憶されたバックアップデータをＨＤＤ１１８に書き戻す。そして、制御部１１１は、ステップＳ５０６において、バックアップ又はリストアを開始した後、この処理を終了する。
【００８２】
一方、制御部１１１は、ステップＳ５０３において、各設定ボタンｂ１１，ｂ１２の何れかが操作されたと判定しないときは（ステップＳ５０３：Ｎ）、ステップＳ５０２の処理に移行する。
【００８３】
以上の処理が実行されることによれば、画像形成装置１０の制御状態は、バックアップ制御の実行に伴い、通常モードから省電力モード３に移行されることとなる。
また、省電力モード３に移行されることにより、画像形成部１６の機能は停止される一方、操作表示部１３は機能されたままとなるので、操作部１３２及びタッチパネル１３３の操作は受付可能な状態となる。
【００８４】
次に、画像形成装置１０において行われるバックアップ／リストア終了時処理について、図１０を参照しながら説明する。この処理は、制御部１１１がバックアップ又はリストアの完了を検知すると起動する割込処理である。
【００８５】
制御部１１１は、バックアップ／リストア終了時処理を開始すると、バックアップフラグを０にして、バックアップフラグをクリアした後（ステップＳ６０１）、この処理を終了する。
【００８６】
次に、画像形成装置１０において行われるプリントジョブ受信時処理について、図１１を参照しながら説明する。この処理は、制御部１１１が、ＰＣ３０などのホスト装置からプリントジョブデータを受信したことを検出すると起動する割込処理である。なお、画像形成装置１０が上述した省電力モード１である場合には、制御部１１１のＣＰＵがシステムリセット状態から復帰して、この処理が実行される。
【００８７】
先ず、制御部１１１は、バックアップフラグが１であるか否か、すなわち、バックアップフラグがセットされているか否かを判定する（ステップＳ７０１）。制御部１１１は、バックアップフラグがセットされていると判定しないときは（ステップＳ７０１：Ｎ）、画像形成装置１０の制御状態が上述した省電力モードが１であるか否かを判定する（ステップＳ７０２）。
【００８８】
制御部１１１は、省電力モードが１であると判定したときは、画像形成装置１０の制御状態を、上述した通常モードに移行した後（ステップＳ７０３）、受信したプリントジョブをジョブキューに登録する（ステップＳ７０４）。そして、制御部１１１は、ステップＳ７０４の処理を実行した後は、この処理を終了する。
【００８９】
一方、制御部１１１は、ステップＳ７０２において、省電力モードが１であると判定しないとき、すなわち、画像形成装置１０の制御状態が、既に上述した通常モードであると判定したときは、ステップＳ７０３の処理を実行することなく、ステップＳ７０４の処理に移行する。
【００９０】
また、制御部１１１は、ステップＳ７０１において、バックアップフラグがセットされていると判定したときは（ステップＳ７０１：Ｙ）、プリントジョブデータの送信元であるホスト装置に対してプリント不可である旨の通知を行った後（ステップＳ７０５）、この処理を終了する。すなわち、制御部１１１は、バックアップ中又はリストア中であって、プリントジョブの実行が禁止されているため、受信したプリントジョブを実行せず、プリントできない旨の通知を行う。
なお、本実施の形態では、ＰＣ３０などのホスト装置からＨＤＤ１１８に保存するためのジョブデータが送信されてジョブ保存が依頼された場合において、バックアップフラグがセットされている場合にも、ジョブ保存ができない旨の通知を行うようにしている。
【００９１】
次に、画像形成装置１０において行われるジョブ実行処理について、図１２を参照しながら説明する。この処理は、所定時間毎に起動する割込処理である。
【００９２】
先ず、制御部１１１は、ジョブキューに登録ジョブがあるか否かを判定する（ステップＳ８０１）。具体的には、制御部１１１は、図４に示されるメイン処理のステップＳ１１０や、図１１に示されるプリントジョブ受信時処理のステップＳ７０４において各種ジョブが登録されると、この処理において登録ジョブがあると判定する。
【００９３】
制御部１１１は、ジョブキューに登録ジョブがあると判定したときは（ステップＳ８０１：Ｙ）、上述した待機状態に移行するための監視タイマをリセットした上で、監視タイマの進行を停止させ（ステップＳ８０２）、ジョブキューに最先に登録されたジョブデータを読み出してこれを実行する（ステップＳ８０３）。そして、制御部１１１は、ジョブが終了した後、監視タイマの進行を開始して（ステップＳ８０４）、ステップＳ８０１の処理に移行する。
【００９４】
一方、制御部１１１は、ステップＳ８０１において、ジョブキューに登録ジョブがあると判定しないときは（ステップＳ８０１：Ｎ）、この処理を終了する。
【００９５】
本実施の形態では、以上のように構成することで、従来では、ユーザの任意のタイミングでバックアップを行うことができなかったが、ユーザの任意のタイミングでバックアップを行うことができるようになる。
また、待機状態に移行するときにバックアップを行う従来の画像形成装置では、バックアップを行う時期は、待機状態に移行するまでの時間に依存し、また、待機状態となるとバックアップが行われることから、ユーザの意図しないタイミングでバックアップが行われてしまうと、画像形成が必要なときであるにもかかわらず、これを行うことができない。その結果、従来の画像形成装置では、作業効率の低下を招く結果となる。特に、軽印刷の業界では、顧客の要求により、２４時間稼働することもあり、夜中等の所定時間にバックアップを行うことができない場合がある。本実施の形態では、このような問題を解決することが可能となる。
【００９６】
以上説明したように、本発明の実施の形態によれば、ＨＤＤ１１８は、各種情報を記憶する。そして、制御部１１１は、ＨＤＤ１１８に記憶されている情報を外部記憶装置３０又はＰＣ４０に記憶させるバックアップ制御と、通常モードから省電力モードに移行させる制御とを実行する。そして、制御部１１１は、バックアップ制御の実行に伴い、通常モードから省電力モードに移行させる制御を行う。その結果、バックアップを行うにあたり、消費電力を削減することが可能となる。また、ユーザの任意のタイミングでバックアップを行うことができるので、作業効率の向上を図ることができる。
【００９７】
また、本発明の実施の形態によれば、省電力モードは、通常モードから、バックアップ制御の実行に伴って移行されるバックアップウェイクモード（モード３）及びバックアップ省電力モード（モード２）と、ジョブの実行終了後において、バックアップ制御の実行に伴わずに通常モードから移行される通常省電力モード（モード１）とを含んでいる。その結果、従来の省電力モードとバックアップ制御時における省電力モードとに移行可能となるので、より効率よく消費電力の削減を図ることができる。
【００９８】
また、本発明の実施の形態によれば、制御部１１１は、バックアップウェイクモード（モード３）において、用紙に画像を形成する画像形成部１６の機能を停止させるとともに、ユーザによって操作が可能な操作部１３１及びタッチパネル１３３の操作を受け付け、該受け付けた操作に応じた制御を行う。その結果、画像形成の機能を停止させている間であっても、画像形成装置の設定等の設定操作が可能となるので、消費電力の削減を図りつつ、作業効率の向上を図ることができる。
【００９９】
また、本発明の実施の形態によれば、制御部１１１は、バックアップウェイクモード（モード３）において、所定の待機状態移行条件が成立したときに、操作部１３１の機能を停止させる。その結果、より効率よく消費電力の削減を図ることができる。
【０１００】
また、本発明の実施の形態によれば、制御部１１１は、バックアップ制御の実行中において、通常省電力モード（モード１）への移行を制限するので、バックアップ制御に係る装置の機能が意図しないで停止されることが抑制される。
【０１０１】
また、本発明の実施の形態によれば、制御部１１１は、バックアップ省電力モード（モード２）において、ＨＤＤ１１８を機能させる一方、用紙に画像を形成する画像形成部１６の機能及びユーザによって操作が可能な操作部１３１及びタッチパネル１３３の機能を停止させる。その結果、バックアップに必要な装置についてだけ機能させて、消費電力の大きい画像形成部や操作部等の装置の機能を停止させることができるので、より効率よく消費電力の削減を図ることができる。
【０１０２】
また、本発明の実施の形態によれば、制御部１１１は、操作部１３１及びタッチパネル１３３の機能が停止しているときに、操作部１３１及びタッチパネル１３３による所定の復帰操作を検出すると、操作部１３１及びタッチパネル１３３の操作に応じた制御を可能にする。その結果、必要に応じて画像形成装置の設定等の設定操作が可能となるので、消費電力の削減を図りつつ、作業効率の向上を図ることができる。
【０１０３】
また、本発明の実施の形態によれば、制御部１１１は、省電力モードにおいて複数の装置について機能を停止させる。そして、制御部１１１は、省電力モードにおいて、所定の復帰条件が成立したときに、バックアップ制御の実行中であるか否かを判定する。そして、制御部１１１は、機能の停止した複数の装置のうち、判定結果に対応する装置について、機能を復帰させる。その結果、バックアップ制御の実行中において動作が制限される装置の稼働を停止させておくことができるので、画像形成装置を効率よく稼働させることができ、消費電力の削減を図ることができる。
【０１０４】
また、本発明の実施の形態によれば、制御部１１１は、省電力モードにおいて、所定の復帰条件が成立したときに、バックアップ制御の実行中でないと判定したことを条件に、停止された画像形成部１６の機能を復帰させる。その結果、バックアップ制御の実行中において動作が制限される画像形成部について、効率よく機能を復帰させることができるので、画像形成装置をより効率よく稼働させることができ、消費電力の削減を図ることができる。
【０１０５】
また、本発明の実施の形態によれば、ＨＤＤ１１８は、各種情報を記憶する。そして、制御部１１１は、ＨＤＤ１１８に記憶されている情報を外部記憶装置４０又はＰＣ４０に記憶させるバックアップ制御と、通常モードから、複数の装置について機能を停止させる省電力モードに移行させる制御とを実行する。そして、制御部１１１は、省電力モードにおいて、所定の復帰条件が成立したときに、バックアップ制御の実行中であるか否かを判定する。そして、制御部１１１は、機能の停止した複数の装置のうち、判定結果に対応する装置について、機能を復帰させる。その結果、バックアップ制御の実行中において動作が制限される装置の稼働を停止させておくことができるので、画像形成装置を効率よく稼働させることができ、消費電力の削減を図ることができる。
【０１０６】
また、本発明の実施の形態によれば、ＨＤＤ１１８は、各種情報を記憶する。そして、制御部１１１は、ＨＤＤ１１８に記憶されている情報を外部記憶装置４０又はＰＣ３０に記憶させるバックアップ制御と、所定の状態移行条件が成立したときに、バックアップ制御の実行中であるか否かを判定し、機能している複数の装置のうち、判定結果に応じた装置の機能を停止させる制御とを実行する。その結果、所定の状態移行条件が成立したときに、バックアップに必要な装置のみ稼働させ、その他のバックアップに関係しない装置については、機能を停止させることができるようになるので、画像形成装置を効率よく稼働させることができ、消費電力の削減を図ることができる。
【０１０７】
また、本発明の実施の形態によれば、制御部１１１は、状態移行条件が成立したときに、バックアップ制御の実行中であると判定したときは、ＨＤＤ１１８の機能を停止させず、バックアップ制御の実行中でないと判定したときは、ＨＤＤ１１８の機能を停止させる。その結果、バックアップ制御が実行中であるか否かに応じて、バックアップに必要なＨＤＤの稼働状態が制御されるので、ＨＤＤを必要に応じて稼働させることが可能となり、画像形成装置をより効率よく稼働させることができ、消費電力の削減を図ることができる。
【０１０８】
また、本発明の実施の形態によれば、ＨＤＤ１１８は、各種情報を記憶する。そして、制御部１１１は、ＨＤＤ１１８に記憶されている情報を外部記憶装置４０又はＰＣ３０に記憶させるバックアップ制御と、所定の状態移行条件が成立したときに、機能している装置の機能を停止させる省電力モードに移行させる制御とを実行する。そして、省電力モードは、ＨＤＤ１１８の機能を停止させないバックアップウェイクモード（モード３）及びバックアップ省電力モード（モード２）と、ＨＤＤ１１８を含めた装置について機能を停止させる通常省電力モード（モード１）とを含んでいる。その結果、省電力モードでは、条件に応じてＨＤＤの機能を停止させるようにすることが可能となり、画像形成装置を効率よく稼働させることができ、消費電力の削減を図ることができる。
【０１０９】
また、本発明の実施の形態によれば、制御部１１１は、状態移行条件が成立して省電力モードに移行させるときに、バックアップ制御の実行中であるか否かを判定する。そして、制御部１１１は、バックアップ制御の実行中であると判定したときは、バックアップウェイクモード（モード３）及びバックアップ省電力モード（モード２）に移行し、バックアップ制御の実行中でないと判定したときは、通常省電力モード（モード１）に移行する。その結果、通常モードから省電力モードに移行するときに、バックアップ制御が実行中であるか否かに応じて、バックアップに必要なＨＤＤの稼働状態が制御されるので、ＨＤＤについて必要に応じて稼働させることが可能となり、画像形成装置をより効率よく稼働させることができ、消費電力の削減を図ることができる。
【０１１０】
なお、本発明の実施の形態における記述は、本発明に係る画像形成装置の一例であり、これに限定されるものではない。画像形成装置を構成する各機能部の細部構成及び細部動作に関しても適宜変更可能である。
【０１１１】
また、本実施の形態では、バックアップ中において、操作部及びタッチパネルによる操作を可能にしたが、バックアップ中は、操作部及びタッチパネルによる操作ができないようにしてもよい。また、バックアップ中は、操作部及びタッチパネルのうちの何れかのみ操作可能にしてもよい。
【０１１２】
また、本実施の形態では、バックアップ中において、所定時間の操作がないときに、操作部及びタッチパネルの機能を停止させるようにしたが、機能を停止させないようにしてもよい。
【０１１３】
また、本実施の形態では、通常モードから省電力モードに移行するとき、バックアップの実行の開始に伴う場合には、表示部を稼働させた状態にし、バックアップの実行の開始に伴わない場合には、表示部の稼働を停止させるようにしたが、バックアップの実行の開始に伴うか否かに拘わらず、表示部の稼働を停止させるようにしてもよい。
【０１１４】
また、本実施の形態では、バックアップの開始及び所定時間の操作がないときに、通常モードから省電力モードに移行するようにしたが、バックアップの開始に伴うときにのみ通常モードから省電力モードに移行するようにしてもよい。また、ユーザの操作に応じて省電力モードに移行するようにしてもよい。また、タイマ設定を行い、所定の時間となったときに省電力モードに移行するようにしてもよい。
【０１１５】
また、本実施の形態では、通常省電力モード又はバックアップ省電力モードにおいて、所定の復帰操作が行われたときに、通常モード又はバックアップウェイクモードに移行するようにしたが、他の態様によりモードの移行が行われるようにしてもよく、例えば、タイマ設定を行い、所定時間となったときにモードの移行が行われるようにしてもよい。
【０１１６】
また、本実施の形態では、バックアップ中において、コピー、スキャン、プリント及びジョブ保存の各ジョブの実行を禁止するようにしたが、各ジョブの登録のみ行って、バックアップが終了したときに登録した各ジョブを実行させるようにしてもよい。
【０１１７】
また、本実施の形態では、バックアップ中において、コピー、スキャン、プリント及びジョブ保存の各ジョブの実行を禁止するようにしたが、画像形成時においてバックアップが行われると、画像形成の処理が間に合わず、エラーが発生する可能性のあるコピー及びプリントのみジョブの実行を禁止し、画像形成が行われないスキャン及びジョブ保存についてはジョブの実行を許可するようにしてもよい。
【０１１８】
また、ＨＤＤ等の不揮発メモリから外部記憶装置等にバックアップするデータについては、不揮発メモリに記憶された全てのデータであってもよいし、一部のデータであってもよい。また、一部のデータをバックアップする場合には、ユーザによって選択可能に構成してもよい。
【０１１９】
また、外部記憶装置等からＨＤＤ等の不揮発メモリにリストアするデータについても同様に、外部記憶装置等に記憶された全てのデータであってもよいし、一部のデータであってもよい。また、一部のデータをリストアする場合には、ユーザによって選択可能に構成してもよい。
【０１２０】
また、バックアップ中において、バックアップ終了までの時間と、画像形成部のウォームアップ完了までの時間とをそれぞれ求め、バックアップ終了時に画像形成部のウォームアップが完了するように画像形成部を制御するようにしてもよい。このようにすれば、バックアップが終了した後、速やかに画像形成を行うことができ、作業効率の向上が図れるようになる。
【０１２１】
以上に掲げた各変形例については、リストア中においても同様にして構成することができることは勿論である。
【０１２２】
また、本実施の形態では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【符号の説明】
【０１２３】
１００  メンテナンスシステム
１０  画像形成装置
１１  本体部
１１１  制御部
１１８  ＨＤＤ
１３  操作表示部
１３１  操作部
１３２  表示部
１６  画像形成部
３０  ＰＣ
４０  外部記憶装置
【図１】
0005533102.tif 000002
【図２】
0005533102.tif 000003
【図３】
0005533102.tif 000004
【図４】
0005533102.tif 000005
【図５】
0005533102.tif 000006
【図６】
0005533102.tif 000007
【図７】
0005533102.tif 000008
【図８】
0005533102.tif 000009
【図９】
0005533102.tif 000010
【図１０】
0005533102.tif 000011
【図１１】
0005533102.tif 000012
【図１２】
0005533102.tif 000013
【図１３】
0005533102.tif 000014
【図１４】
0005533102.tif 000015
【図１５】
0005533102.tif 000016
【図１６】
0005533102.tif 000017
【図１７】
0005533102.tif 000018
【図１８】
0005533102.tif 000019
【図１９】
0005533102.tif 000020
【図２０】
0005533102.tif 000021
【図２１】
0005533102.tif 000022